(57)【要約】      （修正有）【課題】片手での演奏が可能となるフルート属の胴部管、及び、これを用いたフルート属を提供する。【解決手段】フルート属の胴部管２０は、Ｇカップ７の開閉を操作するＧキイ７Ｒと、Ｆ＃カップ６及びＧカップ７の開閉を操作するＦ＃キイ６Ｒと、Ｆカップ５、Ｆ＃カップ６及びＧカップ７の開閉を操作するＦキイ５Ｒと、Ｅカップ４、Ｆカップ５、Ｆ＃カップ６及びＧカップ７の開閉を操作するＥキイ４Ｒと、Ｅｓカップ３、Ｅカップ４、Ｆカップ５、Ｆ＃カップ６及びＧカップ７の開閉を操作するＥｓキイ３Ｒと、Ｄカップ２、Ｅｓカップ３、Ｅカップ４、Ｆカップ５、Ｆ＃カップ６及びＧカップ７の開閉を操作するＤキイ２Ｒと、Ｃ＃カップ１、Ｄカップ２、Ｅｓカップ３、Ｅカップ４、Ｆカップ５、Ｆ＃カップ６及びＧカップ７の開閉を操作するＣ＃キイ１Ｒとを、所定の配列によって、Ｇカップ７よりも頭部管２１を接続する側に設ける。【選択図】図１
0003213653.tif 000002
【実用新案登録請求の範囲】
【請求項１】
頭部管に接続される一端側とは逆の他端側から順に、Ｃ＃カップ（１）、Ｄカップ（２）、Ｅｓカップ（３）、Ｅカップ（４）、Ｆカップ（５）、Ｆ＃カップ（６）及びＧカップ（７）が配列され、各カップは開放を常態とするように設けられ、
前記Ｇカップ（７）と接続し、前記Ｇカップ（７）の開閉を操作するＧキイ（７Ｒ）と、
前記Ｆ＃カップ（６）と接続するとともに、前記Ｇキイ（７Ｒ）と接続して該Ｇキイ（７Ｒ）と連動し、前記Ｆ＃カップ（６）及び前記Ｇカップ（７）の開閉を操作するＦ＃キイ（６Ｒ）と、
前記Ｆカップ（５）と接続するとともに、前記Ｆ＃キイ（６Ｒ）と接続して前記Ｆ＃キイ（６Ｒ）及び前記Ｇキイ（７Ｒ）と連動し、前記Ｆカップ（５）、前記Ｆ＃カップ（６）及び前記Ｇカップ（７）の開閉を操作するＦキイ（５Ｒ）と、
前記Ｅカップ（４）と接続するとともに、前記Ｆキイ（５Ｒ）と接続して前記Ｆキイ（５Ｒ）、前記Ｆ＃キイ（６Ｒ）及び前記Ｇキイ（７Ｒ）と連動し、前記Ｅカップ（４）、前記Ｆカップ（５）、前記Ｆ＃カップ（６）及び前記Ｇカップ（７）の開閉を操作するＥキイ（４Ｒ）と、
前記Ｅｓカップ（３）と接続するとともに、前記Ｅキイ（４Ｒ）と接続して前記Ｅキイ（４Ｒ）、前記Ｆキイ（５Ｒ）、前記Ｆ＃キイ（６Ｒ）及び前記Ｇキイ（７Ｒ）と連動し、前記Ｅｓカップ（３）、前記Ｅカップ（４）、前記Ｆカップ（５）、前記Ｆ＃カップ（６）及び前記Ｇカップ（７）の開閉を操作するＥｓキイ（３Ｒ）と、
前記Ｄカップ（２）と接続するとともに、前記Ｅｓキイ（３Ｒ）と接続して前記Ｅｓキイ（３Ｒ）、前記Ｅキイ（４Ｒ）、前記Ｆキイ（５Ｒ）、前記Ｆ＃キイ（６Ｒ）及び前記Ｇキイ（７Ｒ）と連動し、前記Ｄカップ（２）、前記Ｅｓカップ（３）、前記Ｅカップ（４）、前記Ｆカップ（５）、前記Ｆ＃カップ（６）及び前記Ｇカップ（７）の開閉を操作するＤキイ（２Ｒ）と、
前記Ｃ＃カップ（１）と接続するとともに、前記Ｄキイ（２Ｒ）と接続して前記Ｄキイ（２Ｒ）、前記Ｅｓキイ（３Ｒ）、前記Ｅキイ（４Ｒ）、前記Ｆキイ（５Ｒ）、前記Ｆ＃キイ（６Ｒ）及び前記Ｇキイ（７Ｒ）と連動し、前記Ｃ＃カップ（１）、前記Ｄカップ（２）、前記Ｅｓカップ（３）、前記Ｅカップ（４）、前記Ｆカップ（５）、前記Ｆ＃カップ（６）及び前記Ｇカップ（７）の開閉を操作するＣ＃キイ（１Ｒ）と、を有し、
前記他端側から順に、前記Ｃ＃キイ（１Ｒ）、前記Ｄキイ（２Ｒ）、前記Ｅｓキイ（３Ｒ）、前記Ｅキイ（４Ｒ）、前記Ｆキイ（５Ｒ）、前記Ｆ＃キイ（６Ｒ）及び前記Ｇキイ（７Ｒ）が配列されて前記Ｇカップ（７）よりも前記一端側に設けられ、
前記他端側から順に、Ｄトリルカップ（１３）及びＤ＃トリルカップ（１４）が配列されて閉じた状態を常態とするように設けられ、
前記Ｄトリルカップ（１３）と接続し、該Ｄトリルカップ（１３）の開閉を操作するＤトリルキイ（１３Ｒ）と、
前記Ｄ＃トリルカップ（１４）と接続し、該Ｄ＃トリルカップ（１４）の開閉を操作するＤ＃トリルキイ（１４Ｒ）と、を有し、
前記Ｄトリルカップ（１３）、前記Ｄトリルキイ（１３Ｒ）、前記Ｄ＃トリルカップ（１４）及び前記Ｄ＃トリルキイ（１４Ｒ）は前記Ｇカップ（７）よりも前記一端側に設けられた
ことを特徴とする、フルート属の胴部管。
【請求項２】
前記Ｃ＃キイ（１Ｒ）、前記Ｄキイ（２Ｒ）、前記Ｅｓキイ（３Ｒ）、前記Ｅキイ（４Ｒ）、前記Ｆキイ（５Ｒ）、前記Ｆ＃キイ（６Ｒ）及び前記Ｇキイ（７Ｒ）を、前記Ｇカップ（７）と、該Ｇカップ（７）よりも前記一端側に設けられたＧ＃カップキイ（９Ｒ）との間に配置し、かつ、Ｇ＃カップ（９）を設けないものとした、請求項１に記載のフルート属の胴部管。
【請求項３】
閉じた状態を常態とするＣ＃カップ２（１２）と、該Ｃ＃カップ２（１２）と接続しその開閉を操作するＣ＃押さえキイ（１２Ｒ）とが設けられた請求項１又は２に記載のフルート属の胴部管。
【請求項４】
フルート属を支持する支持具を取り付ける取付け部（１７）を有する請求項１〜３のいずれか一項に記載のフルート属の胴部管。
【請求項５】
請求項１〜４のいずれか一項に記載の胴部管を用いたフルート属。
【考案の詳細な説明】
【技術分野】
【０００１】
本考案はフルート属（フルート、アルトフルート、バスフルート、ピッコロ等を含む。本明細書においては「フルート属」又は単に「フルート」という。）に関するものである。より詳細には、片手で演奏が可能となるフルートの胴部管、及び、これを用いたフルートに関するものである。なお、フルートにおいては、キイ等の呼び名（名称）が演奏上のものと製造上のものとで異なるが、本明細書では製造上用いられる名称を用いる。
【背景技術】
【０００２】
従来、フルートは、頭部管、胴部管（主管）及び足部管から構成される。従来のフルートの概略図を図３及び図４に示す。これらの図に示されるとおり、従来のフルートにおいては、操作キイ（１）（２）（３）及び（１Ｒ）（２Ｒ）（３Ｒ）は足部管（４０）に設けられ、操作キイ（４）〜（１６）、（６Ｒ）〜（９Ｒ）、及び（１１Ｒ）〜（１５Ｒ）は、胴部管（４１）に設けられる。
【０００３】
これらの操作キイのうち、（１）〜（７）、（１Ｒ）〜（３Ｒ）、（１１Ｒ）、（１３Ｒ）及び（１４Ｒ）は右手で操作され、残りの操作キイは左手で操作される。このように、従来のフルートは両手で操作しなければ演奏できない構造となっているため、何らかの理由で片手、例えば右手が怪我などで使用できない場合、演奏することができないという問題があった。
【０００４】
例えば特許文献１は両手を用いる通常のフルートの演奏を補助するための支持器具であり、片手での演奏を補助するものではない。
【０００５】
更に、仮にフルートを片手で演奏できるように構成するとしても、操作キイが複雑な配列となってしまっては演奏が困難となる。また、構造が複雑となってしまうと、故障しやすくなるばかりでなく、フルートの製造自体が事実上困難なものとなる。
【先行技術文献】
【特許文献】
【０００６】
【特許文献１】特開２０１４−０９５８０４号
【考案の概要】
【考案が解決しようとする課題】
【０００７】
本考案は以上の問題に鑑みてなされたものであり、片手での演奏が可能となるフルートの胴部管、及び、これを用いたフルート属を提供することを課題とする。
【課題を解決するための手段】
【０００８】
上記課題を解決するため、第１の側面として、本考案は、
頭部管に接続される一端側とは逆の他端側から順に、Ｃ＃カップ（１）、Ｄカップ（２）、Ｅｓカップ（３）、Ｅカップ（４）、Ｆカップ（５）、Ｆ＃カップ（６）及びＧカップ（７）が配列され、各カップは開放を常態とするように設けられ、
前記Ｇカップ（７）と接続し、前記Ｇカップ（７）の開閉を操作するＧキイ（７Ｒ）と、
前記Ｆ＃カップ（６）と接続するとともに、前記Ｇキイ（７Ｒ）と接続して該Ｇキイ（７Ｒ）と連動し、前記Ｆ＃カップ（６）及び前記Ｇカップ（７）の開閉を操作するＦ＃キイ（６Ｒ）と、
前記Ｆカップ（５）と接続するとともに、前記Ｆ＃キイ（６Ｒ）と接続して前記Ｆ＃キイ（６Ｒ）及び前記Ｇキイ（７Ｒ）と連動し、前記Ｆカップ（５）、前記Ｆ＃カップ（６）及び前記Ｇカップ（７）の開閉を操作するＦキイ（５Ｒ）と、
前記Ｅカップ（４）と接続するとともに、前記Ｆキイ（５Ｒ）と接続して前記Ｆキイ（５Ｒ）、前記Ｆ＃キイ（６Ｒ）及び前記Ｇキイ（７Ｒ）と連動し、前記Ｅカップ（４）、前記Ｆカップ（５）、前記Ｆ＃カップ（６）及び前記Ｇカップ（７）の開閉を操作するＥキイ（４Ｒ）と、
前記Ｅｓカップ（３）と接続するとともに、前記Ｅキイ（４Ｒ）と接続して前記Ｅキイ（４Ｒ）、前記Ｆキイ（５Ｒ）、前記Ｆ＃キイ（６Ｒ）及び前記Ｇキイ（７Ｒ）と連動し、前記Ｅｓカップ（３）、前記Ｅカップ（４）、前記Ｆカップ（５）、前記Ｆ＃カップ（６）及び前記Ｇカップ（７）の開閉を操作するＥｓキイ（３Ｒ）と、
前記Ｄカップ（２）と接続するとともに、前記Ｅｓキイ（３Ｒ）と接続して前記Ｅｓキイ（３Ｒ）、前記Ｅキイ（４Ｒ）、前記Ｆキイ（５Ｒ）、前記Ｆ＃キイ（６Ｒ）及び前記Ｇキイ（７Ｒ）と連動し、前記Ｄカップ（２）、前記Ｅｓカップ（３）、前記Ｅカップ（４）、前記Ｆカップ（５）、前記Ｆ＃カップ（６）及び前記Ｇカップ（７）の開閉を操作するＤキイ（２Ｒ）と、
前記Ｃ＃カップ（１）と接続するとともに、前記Ｄキイ（２Ｒ）と接続して前記Ｄキイ（２Ｒ）、前記Ｅｓキイ（３Ｒ）、前記Ｅキイ（４Ｒ）、前記Ｆキイ（５Ｒ）、前記Ｆ＃キイ（６Ｒ）及び前記Ｇキイ（７Ｒ）と連動し、前記Ｃ＃カップ（１）、前記Ｄカップ（２）、前記Ｅｓカップ（３）、前記Ｅカップ（４）、前記Ｆカップ（５）、前記Ｆ＃カップ（６）及び前記Ｇカップ（７）の開閉を操作するＣ＃キイ（１Ｒ）と、を有し、
前記他端側から順に、前記Ｃ＃キイ（１Ｒ）、前記Ｄキイ（２Ｒ）、前記Ｅｓキイ（３Ｒ）、前記Ｅキイ（４Ｒ）、前記Ｆキイ（５Ｒ）、前記Ｆ＃キイ（６Ｒ）及び前記Ｇキイ（７Ｒ）が配列されて前記Ｇカップ（７）よりも前記一端側に設けられ、
前記他端側から順に、Ｄトリルカップ（１３）及びＤ＃トリルカップ（１４）が配列されて閉じた状態を常態とするように設けられ、
前記Ｄトリルカップ（１３）と接続し、該Ｄトリルカップ（１３）の開閉を操作するＤトリルキイ（１３Ｒ）と、
前記Ｄ＃トリルカップ（１４）と接続し、該Ｄ＃トリルカップ（１４）の開閉を操作するＤ＃トリルキイ（１４Ｒ）と、を有し、
前記Ｄトリルカップ（１３）、前記Ｄトリルキイ（１３Ｒ）、前記Ｄ＃トリルカップ（１４）及び前記Ｄ＃トリルキイ（１４Ｒ）は前記Ｇカップ（７）よりも前記一端側に設けられた
ことを特徴とし、従来の胴部管と足部管との接続部を廃し、両者を一体的な構造とした、フルートの新たな胴部管を提供するものである。
第２の側面として、本考案は、上述のフルートの胴部管において、前記Ｃ＃キイ（１Ｒ）、前記Ｄキイ（２Ｒ）、前記Ｅｓキイ（３Ｒ）、前記Ｅキイ（４Ｒ）、前記Ｆキイ（５Ｒ）、前記Ｆ＃キイ（６Ｒ）及び前記Ｇキイ（７Ｒ）を、前記Ｇカップ（７）と、該Ｇカップ（７）よりも前記一端側に設けられたＧ＃カップレバー（９Ｒ）との間に配置し、かつ、従来のＧ＃カップ（９）を設けないものとした、請求項１に記載のフルートの胴部管を提供するものである。
第３の側面として、本考案は、上述のフルートの胴部管において、閉じた状態を常態とするＣ＃カップ２（１２）と、該Ｃ＃カップ２（１２）と接続しその開閉を操作するＣ＃押さえキイ（１２Ｒ）とが設けられたフルートの胴部管を提供するものである。
第４の側面として、本考案は、上述のフルートの胴部管において、フルートを支持する支持具を取り付ける取付け部（１７）を有するフルートの胴部管を提供するものである。
第５の側面として、本考案は、上述いずれかの胴部管を用いたフルート属を提供するものである。
【考案の効果】
【０００９】
本考案によれば、フルートを片手で演奏することが可能となる。
【図面の簡単な説明】
【００１０】
【図１】本考案の一実施形態を示す平面図（フルートを上方から見た図）である。
【図２】図１の実施形態を正面から示した正面図（フルートを図１とは異なる方向から見た図）である。
【図３】従来のフルートの平面図（フルートを上方から見た図）である。
【図４】従来のフルートの正面図（フルートを図３とは異なる方向から見た図）である。
【図５】本考案のフルートに支持具を取り付けた状態を示す図（写真）である。
【考案を実施するための形態】
【００１１】
以下、本考案のフルートの胴部管及びこれを用いたフルートを図面に基づいて具体的に説明する。
【００１２】
本明細書記載の実施形態は一例に過ぎず、本考案はこれのみに限定されるものではない。
【００１３】
（実施形態１）
本実施形態は、左手のみで演奏する場合のフルートの胴部管及びこれを用いたフルートに関する。本実施形態に係る胴部管（及びこれを用いたフルート）を上方から見た概略図（平面図）を図１に示し、これを正面から見た概略図（正面図）を図２に示す。なお、図１・図２と、図３・図４とにおいて、同じ部品には同一の符号を付している。また、頭部管と胴部管の接続部周辺は省略している。
【００１４】
胴部管（２０）には、一端側（図の向かって左側）に、吹き口（１８）を有する頭部管（２１）が接続される。胴部管の他端側（前記一端側と逆の側）には足部管は接続されず、足部管は胴部管と一体化された構造となる。このように構成することにより、本考案は従来のフルートに比し構造がシンプルとなる。
【００１５】
胴部管には、他端側から順に、Ｃ＃カップ（１）、Ｄカップ（２）、Ｅｓカップ（３）、Ｅカップ（４）、Ｆカップ（５）、Ｆ＃カップ（６）及びＧカップ（７）が配列される。これらは、ポスト（２２）に設けられたバネ（図示せず）によって開放を常態とするように設けられており、後述のキイを操作することにより開閉される。すなわち、キイを押さえるとこれらのカップが閉じ、押さえる力が解放されるとカップが開いた状態となるように構成されている。
【００１６】
Ｇカップ（７）には、胴部管の長手方向に略平行な連絡棒（２３）を介して、Ｇキイ（７Ｒ）が接続されており、Ｇキイ（７Ｒ）を押さえるとＧカップ（７）が閉じるように構成されている。Ｇキイ（７Ｒ）を押さえる力が解放されると、バネの反発力により、Ｇカップ（７）が開いた状態に戻る。このように、Ｇカップ（７）の開閉は、Ｇキイ（７Ｒ）を操作することによって行う。
【００１７】
Ｆ＃カップ（６）には、胴部管の長手方向に略平行な連絡棒（２４）を介して、Ｆ＃キイ（６Ｒ）が接続されている。また、Ｆ＃キイ（６Ｒ）は、Ｇキイ（７Ｒ）と接続しており、Ｆ＃キイ（６Ｒ）を押さえると、Ｇキイ（７Ｒ）も連動して押さえられるように構成されている。これらにより、Ｆ＃キイ（６Ｒ）を押さえると、Ｆ＃カップ（６）及びＧカップ（７）が閉じるように構成される。Ｆ＃キイ（６Ｒ）を押さえる力が解放されると、バネの反発力により、Ｆ＃カップ（６）及びＧカップ（７）が開いた状態に戻る。このように、Ｆ＃カップ（６）及びＧカップ（７）の開閉は、Ｆ＃キイ（６Ｒ）を操作することによって行う。
【００１８】
Ｆカップ（５）には、胴部管の長手方向に略平行な連絡棒（２５）を介して、Ｆキイ（５Ｒ）が接続されている。また、Ｆキイ（５Ｒ）は、Ｆ＃キイ（６Ｒ）と接続しており、Ｆキイ（５Ｒ）を押さえると、Ｆ＃キイ（６Ｒ）及びＧキイ（７Ｒ）も連動して押さえられるように構成されている。これらにより、Ｆキイ（５Ｒ）を押さえると、Ｆカップ（５）、Ｆ＃カップ（６）及びＧカップ（７）が閉じるように構成される。Ｆキイ（５Ｒ）を押さえる力が解放されると、バネの反発力により、Ｆカップ（５）、Ｆ＃カップ（６）及びＧカップ（７）が開いた状態に戻る。このように、Ｆカップ（５）、Ｆ＃カップ（６）及びＧカップ（７）の開閉は、Ｆキイ（５Ｒ）を操作することによって行う。
【００１９】
Ｅカップ（４）には、胴部管の長手方向に略平行な連絡棒（２６）を介して、Ｅキイ（４Ｒ）が接続されている。また、Ｅキイ（４Ｒ）は、Ｆキイ（５Ｒ）と接続しており、Ｅキイ（４Ｒ）を押さえると、Ｆキイ（５Ｒ）、Ｆ＃キイ（６Ｒ）及びＧキイ（７Ｒ）も連動して押さえられるように構成されている。これらにより、Ｅキイ（４Ｒ）を押さえると、Ｅカップ（４）、Ｆカップ（５）、Ｆ＃カップ（６）及びＧカップ（７）が閉じるように構成される。Ｅキイ（４Ｒ）を押さえる力が解放されると、バネの反発力により、Ｅカップ（４）、Ｆカップ（５）、Ｆ＃カップ（６）及びＧカップ（７）が開いた状態に戻る。このように、Ｅカップ（４）、Ｆカップ（５）、Ｆ＃カップ（６）及びＧカップ（７）の開閉は、Ｅキイ（４Ｒ）を操作することによって行う。
【００２０】
Ｅｓカップ（３）には、胴部管の長手方向に略平行な連絡棒（２７）を介して、Ｅｓキイ（３Ｒ）が接続されている。また、Ｅｓキイ（３Ｒ）は、Ｅキイ（４Ｒ）と接続しており、Ｅｓキイ（３Ｒ）を押さえると、Ｅキイ（４Ｒ）、Ｆキイ（５Ｒ）、Ｆ＃キイ（６Ｒ）及びＧキイ（７Ｒ）も連動して押さえられるように構成されている。これらにより、Ｅｓキイ（３Ｒ）を押さえると、Ｅｓカップ（３）、Ｅカップ（４）、Ｆカップ（５）、Ｆ＃カップ（６）及びＧカップ（７）が閉じるように構成される。Ｅｓキイ（３Ｒ）を押さえる力が解放されると、バネの反発力により、Ｅｓカップ（３）、Ｅカップ（４）、Ｆカップ（５）、Ｆ＃カップ（６）及びＧカップ（７）が開いた状態に戻る。このように、Ｅｓカップ（３）、Ｅカップ（４）、Ｆカップ（５）、Ｆ＃カップ（６）及びＧカップ（７）の開閉は、Ｅｓキイ（３Ｒ）を操作することによって行う。
【００２１】
Ｄカップ（２）には、胴部管の長手方向に略平行な連絡棒（２８）を介して、Ｄキイ（２Ｒ）が接続されている。また、Ｄキイ（２Ｒ）は、Ｅｓキイ（３Ｒ）と接続しており、Ｄキイ（２Ｒ）を押さえると、Ｅｓキイ（３Ｒ）、Ｅキイ（４Ｒ）、Ｆキイ（５Ｒ）、Ｆ＃キイ（６Ｒ）及びＧキイ（７Ｒ）も連動して押さえられるように構成されている。これらにより、Ｄキイ（２Ｒ）を押さえると、Ｄカップ（２）、Ｅｓカップ（３）、Ｅカップ（４）、Ｆカップ（５）、Ｆ＃カップ（６）及びＧカップ（７）が閉じるように構成される。Ｄキイ（２Ｒ）を押さえる力が解放されると、バネの反発力により、Ｄカップ（２）、Ｅｓカップ（３）、Ｅカップ（４）、Ｆカップ（５）、Ｆ＃カップ（６）及びＧカップ（７）が開いた状態に戻る。このように、Ｄカップ（２）、Ｅｓカップ（３）、Ｅカップ（４）、Ｆカップ（５）、Ｆ＃カップ（６）及びＧカップ（７）の開閉は、Ｄキイ（２Ｒ）を操作することによって行う。
【００２２】
Ｃ＃カップ（１）には、胴部管の長手方向に略平行な連絡棒（２９）を介して、Ｃ＃キイ（１Ｒ）が接続されている。また、Ｃ＃キイ（１Ｒ）は、Ｄキイ（２Ｒ）と接続しており、Ｃ＃キイ（１Ｒ）を押さえると、Ｄキイ（２Ｒ）、Ｅｓキイ（３Ｒ）、Ｅキイ（４Ｒ）、Ｆキイ（５Ｒ）、Ｆ＃キイ（６Ｒ）及びＧキイ（７Ｒ）も連動して押さえられるように構成されている。これらにより、Ｃ＃キイ（１Ｒ）を押さえると、Ｃ＃カップ（１）、Ｄカップ（２）、Ｅｓカップ（３）、Ｅカップ（４）、Ｆカップ（５）、Ｆ＃カップ（６）及びＧカップ（７）が閉じるように構成される。Ｃ＃キイ（１Ｒ）を押さえる力が解放されると、バネの反発力により、Ｃ＃カップ（１）、Ｄカップ（２）、Ｅｓカップ（３）、Ｅカップ（４）、Ｆカップ（５）、Ｆ＃カップ（６）及びＧカップ（７）が開いた状態に戻る。このように、Ｃ＃カップ（１）、Ｄカップ（２）、Ｅｓカップ（３）、Ｅカップ（４）、Ｆカップ（５）、Ｆ＃カップ（６）及びＧカップ（７）の開閉は、Ｃ＃キイ（１Ｒ）を操作することによって行う。
【００２３】
上記のようにシンプルな構造とすることにより、フルートが故障しやすくなることを防ぐことができる。また、フルートの製造が困難となることもない。
【００２４】
前記のＣ＃キイ（１Ｒ）、Ｄキイ（２Ｒ）、Ｅｓキイ（３Ｒ）、Ｅキイ（４Ｒ）、Ｆキイ（５Ｒ）、Ｆ＃キイ（６Ｒ）及びＧキイ（７Ｒ）は、頭部管接続側とは反対に位置する他端側からこれらの順で配列され、胴部管に設けられる。これらのキイ（１Ｒ〜７Ｒ）は、隣同士が隣接して配置することができる。このように、音程順にキイを配列させ、シンプルかつ明瞭でコンパクトな配列としたことにより、本来の左手による操作を損なうことなく、これらのキイを操作することができる。
【００２５】
また、Ｃ＃キイ（１Ｒ）、Ｄキイ（２Ｒ）、Ｅｓキイ（３Ｒ）、Ｅキイ（４Ｒ）、Ｆキイ（５Ｒ）、Ｆ＃キイ（６Ｒ）及びＧキイ（７Ｒ）は、Ｇカップ（７）よりも頭部管側（一端側）に設けるものとする。このように、これらのキイを左手操作域に設けることで、左手のみでの演奏を実現することが可能となる。
【００２６】
Ｃ＃キイ（１Ｒ）、Ｄキイ（２Ｒ）、Ｅｓキイ（３Ｒ）、Ｅキイ（４Ｒ）、Ｆキイ（５Ｒ）、Ｆ＃キイ（６Ｒ）及びＧキイ（７Ｒ）は、Ｇカップ（７）と、該Ｇカップ（７）よりも頭部管側（一端側）に設けられたＧ＃カップキイ（９Ｒ）との間に配置することができる。この場合、通常のフルートにおいては上記の箇所に設けられているＧ＃カップ（９）を本考案においては設けず、その箇所にこれらのキイを配置する。Ｇ＃カップ（９）は裏Ｇ＃カップ（８）と異名同音であり、裏Ｇ＃カップ（８）が設けられている以上、Ｇ＃カップ（９）を設けなくとも、音階上は問題を生じない。かかる箇所にＣ＃キイ（１Ｒ）、Ｄキイ（２Ｒ）、Ｅｓキイ（３Ｒ）、Ｅキイ（４Ｒ）、Ｆキイ（５Ｒ）、Ｆ＃キイ（６Ｒ）及びＧキイ（７Ｒ）は、Ｇカップ（７）を配置すれば、左手のみでの演奏をスムーズに行うことができるものとなる。
【００２７】
頭部管接続側とは反対に位置する他端側から順に、Ｄトリルカップ（１３）及びＤ＃トリルカップ（１４）を配列し、ポスト（３０）に設けられたバネ（図示せず）により閉じた状態を常態とするように設ける。
【００２８】
そして、Ｄトリルカップ（１３）の一端にＤトリルキイ（１３Ｒ）を設け、これによりＤトリルカップ（１３）の開閉を操作する。また、Ｄ＃トリルカップ（１４）の一端にＤ＃トリルキイ（１４Ｒ）を設け、これによりＤ＃トリルカップ（１４）の開閉を操作する。Ｄトリルキイ（１３Ｒ）、Ｄ＃トリルキイ（１４Ｒ）は、押さえるとそれぞれＤトリルカップ（１３）、Ｄ＃トリルカップ（１４）を開き、押さえる力を解放すると、バネの反発力によりこれらのカップがそれぞれ閉じるように構成されている。このようにシンプルな構造とすることにより、フルートが故障しやすくなることを防ぐことができる。また、フルートの製造が困難となることもない。
【００２９】
Ｄトリルカップ（１３）及びＤトリルキイ（１３Ｒ）、Ｄ＃トリルカップ（１４）及びＤ＃トリルキイ（１４Ｒ）は、Ｇカップ（７）よりも頭部管側（一端側）に設ける。このように、これらのキイを左手操作域に設けることで、左手のみでの演奏を実現することが可能となる。
【００３０】
通常のフルートにおいて、Ｃ＃カップ２（１２）は、開放を常態とし、演奏者は、左人差し指で常時これを押さえて閉じた状態で演奏し、必要時のみ、人差し指を離して開く構造となっている。
【００３１】
本考案においては、Ｃ＃カップ２（１２）を、ポスト（３２）に設けられたバネ（図示せず）により閉じた状態を常態とするように設ける。そして、Ｃ＃カップ２（１２）の一端にＣ＃押さえキイ（１２Ｒ）を設け、これによりＣ＃カップ２（１２）の開閉を操作する。Ｃ＃押さえキイ（１２Ｒ）は、押さえるとＣ＃カップ２（１２）を開き、押さえる力を解放すると、バネの反発力によりこのカップが閉じるように構成されている。なお、これらのＣ＃カップ２（１２）とＣ＃押さえキイ（１２Ｒ）も、左手操作域、すなわち、Ｇカップ（７）よりも頭部管接続側に配置される。
【００３２】
このように、Ｃ＃カップ２（１２）を通常のフルートと逆の構造に変更することにより、操作の負担を減らすことができる。かかる負担の減少は、片手での演奏においては、演奏技術に貢献する度合いがより一層大きいものとなる。また、この構造はシンプルであり、フルートが故障しやすくなることもなく、フルートの製造に困難が生じることもない。
【００３３】
本考案の胴部管には、フルートを支持する支持具を取り付ける取付け部（１７）を設けることができる。支持具は例えば三脚とすることができる。取付け部をねじ穴（雌ねじ）で構成し、支持具の一部（上部）を雄ねじで構成し、雄ねじ部分をねじ穴にねじ込んで固定するように構成してもよい。支持具（３４）の一例を取付け部（１７）に取り付けた状態を図５に示す。
【００３４】
支持具を取り付けることで、片手でのフルートの演奏を補助できるものとなる。
【００３５】
（実施形態２）
本考案は、フルートを右手のみで演奏する場合にも適用することが可能である。この場合、胴部管に設けられる各部材の配置を、左手のみで演奏するフルートの配置と（鏡像のように）逆にすればよい。
【００３６】
すなわち、実施形態１のフルートを右手のみで演奏できるフルートとして構成する場合、例えば図１においては胴部管の左側先端に接続される頭部管を、胴部管の右側先端に配置する。胴部管に設けられる各キイの配置は、頭部管が接続される側（一端側）とは逆の他端側から順に、Ｃ＃カップ、Ｄカップ、Ｅｓカップ、Ｅカップ、Ｆカップ、Ｆ＃カップ、Ｇカップとし、このＧカップと、Ｇカップよりも他端側に配置されるＧ＃キイとの間に、他端側から順に、Ｃ＃キイ、Ｄキイ、Ｅｓキイ、Ｅキイ、Ｆキイ、Ｆ＃キイ、Ｇキイを配置する。
【００３７】
また、他端側から順に、Ｄトリルカップ及びＤ＃トリルカップが配列されて閉じた状態を常態とするように設けられ、これらのカップと、このＤトリルカップと接続し、該Ｄトリルカップの開閉を操作するＤトリルキイと、Ｄ＃トリルカップと接続し、該Ｄ＃トリルカップの開閉を操作するＤ＃トリルキイとが、前記Ｇカップよりも一端側（頭部管が接続される側）に設けられる。
【００３８】
更に、閉じた状態を常態とするＣ＃カップ２と、該Ｃ＃カップ２と接続しその開閉を操作するＣ＃押さえキイとが設けられる。これらも、右手操作域、すなわち、Ｇカップよりも頭部管接続側に配置される。
【産業上の利用可能性】
【００３９】
本考案によれば、何らかの理由で片手、例えば右手が怪我などで使用できない場合であっても、左手のみで演奏することができるフルートを提供することができる。
【００４０】
また、操作キイがシンプルかつ明瞭な配列であるため、片手であっても演奏が事実上困難となるようなこともない。
【００４１】
のみならず、両手を用いることができる演奏者においても、例えば左手のみで本考案のフルートを演奏し、右手でピアノを演奏するといったように、一人でフルートと別の楽器、すなわち複数の楽器を演奏することが可能とする。
【００４２】
更に、本考案によれば、構造も複雑でないため、故障しやすくなることが防げるとともに、フルートの製造が困難となることも回避することができる。
【００４３】
従って、本考案の産業上の利用可能性は極めて高い。
【符号の説明】
【００４４】
１    Ｃ＃カップ
１Ｒ  Ｃ＃キイ
２    Ｄカップ
２Ｒ  Ｄキイ
３    Ｅｓカップ
３Ｒ  Ｅｓキイ
４    Ｅカップ
４Ｒ  Ｅキイ
５    Ｆカップ
５Ｒ  Ｆキイ
６    Ｆ＃カップ
６Ｒ  Ｆ＃キイ
７    Ｇカップ
７Ｒ  Ｇキイ
８    裏Ｇ＃カップ
８Ｒ  裏Ｇ＃キイ
９    Ｇ＃カップ
９Ｒ  Ｇ＃キイ
１０  Ｂ♭カップ
１１  Ｈカップ
１１  Ｈキイ
１２  Ｃ＃カップ２
１２Ｒ  Ｃ＃押さえキイ
１３    Ｄトリルカップ
１３Ｒ  Ｄトリルキイ
１４  Ｄ＃トリルカップ
１４Ｒ  Ｄ＃トリルキイ
１５  ブリチャルカップ
１５Ｒ  ブリチャルキイ
１６  ブルチャルキイ小
１７  支持具取り付け部    
１８  吹き口        
２０、４１  胴部管
２１  頭部管
２２、３０、３２  ポスト
２３〜２９  連絡棒
３４  支持具
４０  足部管
【図１】
0003213653.tif 000003
【図２】
0003213653.tif 000004
【図３】
0003213653.tif 000005
【図４】
0003213653.tif 000006
【図５】
0003213653.tif 000007